(57)【要約】本発明は縦方向（５０）及び横方向（５２）を有する、衛生ナプキン、失禁パッド、パンティライナー又はそれらの類似物品の如き吸収製品であって、製品が装着者に面することを意図される表面層（２２）、装着者から離れて面することを意図される裏打ち層（２４）、及び表面層（２２）と裏打ち層（２４）の間に配置された吸収体（３０）を含み、さらに製品の適用のための取付の手段（３４）、及び取付の手段（３４）のための保護層（３６）を含むものに関する。保護層（３６）は波形状を有する縁を持つ。【選択図】図１
2005507744.tif 000002
【特許請求の範囲】
【請求項１】
縦方向（５０）及び横方向（５２）を有する、衛生ナプキン、失禁パッド、パンティライナー又はそれらの類似物品の如き吸収製品であって、製品が装着者に面することを意図される表面層（２２）、装着者から離れて面することを意図される裏打ち層（２４）、及び表面層（２２）と裏打ち層（２４）の間に配置された吸収体（３０）を含み、さらに製品の適用のための取付の手段（３４）、及び取付の手段（３４）のための保護層（３６）を含むものにおいて、保護層（３６）が波形状を有する縁を持つことを特徴とする吸収製品。
【請求項２】
波形状が正弦波形状を含むことを特徴とする請求項１に記載の吸収製品。
【請求項３】
波形状が鋸歯形状を含むことを特徴とする請求項１又は２に記載の吸収製品。
【請求項４】
波形状が矩形波形状を含むことを特徴とする請求項１，２又は３に記載の吸収製品。
【請求項５】
保護層（３６）の縁が製品の縦方向（５０）に延びることを特徴とする請求項１〜４のいずれかに記載の吸収製品。
【請求項６】
保護層（３６）の縁が製品の横方向（５２）に延びることを特徴とする請求項１〜５のいずれかに記載の吸収製品。
【請求項７】
保護層（３６）が製品の縦方向（５０）及び横方向（５２）の両方において波形状を有する縁を持つことを特徴とする請求項１〜６のいずれかに記載の吸収製品。
【請求項８】
保護層（３６）が蝋紙を含むことを特徴とする請求項１〜７のいずれかに記載の吸収製品。
【請求項９】
保護層（３６）がシリコーン処理紙を含むことを特徴とする請求項１〜８のいずれかに記載の吸収製品。
【請求項１０】
保護層（３６）が製品の周囲を越えて突出することを特徴とする請求項１〜９のいずれかに記載の吸収製品。
【請求項１１】
保護層（３６）の縁の全てが波形状であることを特徴とする請求項１〜１０のいずれかに記載の吸収製品。
【請求項１２】
取付の手段（５６）を与えられた取付フラップ（５４）、及び取付フラップ（５４）上の各取付の手段（５６）上に配置された保護層（５８）をさらに有する請求項１〜１１のいずれかに記載の吸収製品において、取付フラップ（５４）上の保護層（５８）が波形状を有する縁を持つことを特徴とする吸収製品。
【発明の詳細な説明】
【０００１】
技術分野
本発明はパンツに装着されることを意図される、衛生ナプキン、失禁パッド、パンティライナーなどの吸収製品に関する。このタイプの製品はパンツに製品を固定するために意図される取付の手段を与えられている。取付の手段は取付の手段が使用されるときに除去される剥離ストリップによってカバーされる。
【０００２】
背景技術
現在の衛生ナプキン、失禁パッド、パンティライナーなどはほとんどの場合においてこれらをパンツに固定するための取付システムを与えられている。取付の手段は例えば接着剤、タッチアンドクローズのファスナー又はスナップファスナーの形であることができる。全てのタイプの取付の手段にとってそれらが使用前保護されるべきであることは一般的である。これらを保護することができる一つの方法は剥離ストリップとして知られるものを使用することによる。即ち、吸収製品が使用されるときに取付の手段から容易に除去されるように処理された紙ストリップ又はその類似品を使用することによる。剥離紙は通常、接着剤がない剥離紙の下の領域を作るように取付部の周囲を越えて突出し、剥離紙の除去を容易にするタブを形成する。今日入手可能な製品で起こりうる問題は剥離紙を持ってそれを引き離すことが難しいことである。これは多くの年配の人が経験しうる問題である。なぜならば細かい精神運動は年を取るにつれて衰えることが多いからである。リューマチ及び他の手の動きが少ない障害者も同じ問題を持ちうる。剥離紙を持つことが困難でありうる他の例は例えばスキンクリームなどのため手が冷たいか、湿っているか又はすべりやすいときである。
【０００３】
その問題を解決する一つの方法はＥＰ  ０６８０７４０Ａ１に記載されており、それは製品の長さ方向に走る縦方向線に平行でないことが好ましい線に沿って一つより多くの部分に剥離紙が分割される製品を記載する。それが剥離紙を脱着できるためには、紙が分割するように製品を曲げることが必要である。かかる解決策は取付の手段から剥離紙を脱着するために幾つかの取扱い段階が要求されることを意味する。まず製品は曲がらなければならず、次いで剥離紙が取れるとき、まず剥離紙の第一部分、次いで第二部分が除去されて処分されなければならない。この手順では、剥離紙をつかむことができるように剥離紙が取付の手段から実際に取れるかどうかは確かでない。
【０００４】
剥離紙の別の変形例はＥＰ  ０３１３４２６Ａ１に記載されている。この文献は製品の中央に位置される短い剥離紙を記載する。材料を節約するために、製品は剥離紙のまわりで折りたたまれる。剥離紙は使用時に折りたたまれた製品の開放を容易にするために及びそれをつかむのを容易にするためにタブを与えられる。製品の折りたたみは多数のプロセス工程を伴うのでその配置は満足の行く方法で製造することは困難である。それはまた、製品のデザイン可能性及び取付の手段及び剥離ストリップの位置づけを変化する可能性を制限する。さらに、製造コストはこのタイプのプロセスを用いると高い。
【０００５】
ＷＯ  ９９／３７２６１は幾つかの接着剤領域を有する失禁パッドを記載する。消費者が幾つかの小さな剥離紙を引き剥がさなければならないことを避けるためには、剥離紙は一つより多くの接着剤領域にわたって延びる。デザインは剥離紙の部分の下に接着剤のない領域があるので剥離紙の除去を容易にすることが述べられている。このタイプの製品の欠点は取付の手段を有する多数の領域を持つことである。消費者は幾つかの剥離紙を剥がさなければならず、またブリーフに多数の接着剤領域を固定しなければならないことを伴う。
【０００６】
それゆえ本発明が解決すべき主要な問題の一つは消費者が剥離紙を剥がし、次いでブリーフに製品を固定できる点で簡単である方法を見出すことである。もしこの解決策がさらに製造を容易にするならそれは大きな利点である。
【０００７】
発明の目的及び主要な特徴
本発明の目的は上述の問題を解決し、使用者に優しい吸収製品を設計することである。
【０００８】
本発明によれば、冒頭で言及されたタイプの吸収製品が与えられ、その製品は主として保護層が波形状を有する縁を持つことを特徴とする。
【０００９】
この明細書では、正弦波、鋸歯波、方形波などのあらゆるタイプの波形状を意味する。波形状の縁は保護層の周囲の一部だけに沿って延びることができ、この関連において製品の本質的に縦方向に又は製品の本質的に横方向に配置されることができる。保護層は通常、一般に細長い形状を有し、二つの側縁は本質的に縦方向に延び、二つの端縁は本質的に横方向に延びる。保護層はそのとき一つ又は両方の側縁及び／又は一つ又は両方の端縁に波形状縁を持つことができる。
【００１０】
好ましい例によれば、保護層の縁全体は波形状である。かかる例は保護層の縁に沿ったいずれかの場所で波によって形成された突出部分をつかむことができるので特に有利である。
【００１１】
保護層上の波形状の縁の目的は多数のタブを作ることであり、そのタブは取付の手段を越えて突出してつかむことができ、それゆえ直接それに固定されない。タブは可撓性であるべきであり、従ってそれらは吸収製品の下側を別として弯曲されることができ、そのようにして保護層が吸収製品から除去されなければならないときに一つより多いタブを容易につかむことができる。
【００１２】
保護層の波形状の縁の形状はもちろん縁に沿って変化させることができる。例えば、波は異なる周期、異なる振幅、又はそれらの組合せを持つことができる。異なる波形状、例えば上述の正弦波、鋸歯波及び方形波を互いに組合わせることもできる。主要なポイントは保護層がつかむことのできる多数のタブを有する少なくとも一つの縁部分を持つことである。
【００１３】
取付は例えば接着剤、タッチアンドクローズファスナー、スナップファスナー又はパンツにおける取付のために好適な他の手段の形であることができる。本発明の好ましい例では、接着剤が使用される。全てのこれらの取付の手段にとってそれらが使用前に好適な方法で保護されるべきであることは共通する。それらを保護することができる一つの方法は保護層又は剥離層として知られるものを使用することによる。剥離層は好ましくはシリコーン処理されるが、剥離層の他の変形例、例えば蝋紙、型押された又は剥離剤処理されたプラスチックフィルム又は繊維ストリップももちろん可能である。
【００１４】
本発明の好ましい例では、剥離層の縁は上述のような正弦波を有する。この形状は剥離紙を引き剥がすために使用されかつ持つことができる多数のタブを使用者に提供する。もし製品上の接着剤が製品の縁までの全ての場所に存在せず、従って部分的に接着剤のない領域が剥離紙の下で得られるなら、有利である。かかるデザインを製造する一つの方法は接着剤をストランド又は別のパターンで適用することである。接着剤領域を製品の縁の少し内側で止めることもできる。別の変形例は剥離紙が製品の周囲を越えて突出することである。本発明のさらなる例では、剥離層の縁は縦方向及び横方向の両方において正弦波形状などを有する。本発明の別の例によれば、剥離層の横方向における縁だけが正弦波形状などを有する。
【００１５】
剥離層の縁の別の例は鋸歯形状にするか又は様々なタイプの波形状を持つことである。
【００１６】
図面の簡単な記述
本発明は添付図面に示された図面を参照して以下により詳細に記載されるだろう。
図１は下から見た本発明による衛生ナプキンを示す。
図２は図１の衛生ナプキンの線ＩＩ−ＩＩに沿った断面を示す。
図３は下から見た本発明の別の例による衛生ナプキンを示す。
図４は下から見た本発明の別の例による衛生ナプキンを示す。
図５は下から見た本発明の別の例による衛生ナプキンを示す。
図６は下から見た本発明の別の例による失禁パッドを示す。
【００１７】
具体例の記述
本発明はパンツに装着されることを意図される衛生ナプキン、失禁パッド、パンティライナーなどの吸収製品に関する。
【００１８】
図１に示された例は縦方向５０及び横方向５２を伴う本質的に細長い形状を持ち、さらに二つの長い側２，４及び二つの短い側６，８を持つ。衛生ナプキン１は使用中、装着者に面することを意図される上側１８、及び使用中、装着者から離れて面することを意図される下側２０を持つ。
【００１９】
衛生ナプキン１は衛生ナプキン１の上側１８、即ち使用中、装着者に面することを意図される衛生ナプキン１の側上に配置された液体透過性表面層２２を含む。液体ブロッキング裏打ち層２４は衛生ナプキン１の下側２０、即ち使用中、装着者から離れて面することを意図される側上に配置される。表面層２２と液体ブロッキング裏打ち層２４の間に配置されているのは吸収体３０である。表面層２２及び裏打ち層２４は図１及び２に示されているように吸収体３０の周囲の外側の接合部６０で一緒に接合されることができる。
【００２０】
表面層２０はいかなる従来の材料から作られることもでき、例えば不織布、ネット、有孔プラスチックフィルム又は有孔プラスチックフィルム及び不織布から作られた積層体から作られることができる。
【００２１】
吸収体３０はセルロースパルプの一つ以上の層から作られることが好適である。パルプは最初、ロール、ベール又はシートの形であることができ、それらは衛生ナプキンの製造中、離解され、毛羽立ちされた形で変換されてパルプマットになり、時には超吸収剤として知られるものが加えられる。超吸収剤は自重の数倍の水又は体液を吸収する能力を有するポリマーである。これの代替策はＷＯ  ９４／１０９５６に記載されているようにパルプマットを乾燥形成することである。使用可能な他の吸収材料の例は綿繊維、ピートなどの様々なタイプの天然繊維である。もちろん吸収性合成繊維、又は吸収中多量の液体に結合して液体含有ゲルを形成するタイプの高吸収性ポリマー材料の粒子、又は天然繊維と合成繊維の混合物を使用することもできる。
【００２２】
吸収体３０は形状安定手段、液体分布手段、又は短繊維及び粒子を凝集単位で一緒に保持するために熱処理された熱可塑性繊維の如き結合剤のようなさらなる成分を含有することもできる。吸収体に様々なタイプの吸収フォーム材料を使用することもできる。
【００２３】
液体ブロッキング裏打ち層２４は液体不透過性材料からなる。薄い、液密プラスチックフィルムはその目的のために好適であるが、最初は液体透過性であるがプラスチック、樹脂又は他の液密材料の被覆を与えられた材料を使用することもできる。このようにして、吸収製品の下側からの液体の漏出は防止される。それゆえバリアー層２４は液体不透過性の基準に合致するいかなる材料からもなることができ、その目的のために十分に可撓性であり、皮膚に優しい。バリアー層として好適である材料の例はプラスチックフィルム、不織布及びこれらから作られた積層体である。プラスチックフィルムは例えばポリエチレン、ポリプロピレン又はポリエステルから作られることができる。あるいは、バリヤー層は吸収体に面する液体不透過性プラスチック層、及び装着者の下着に面する不織布から作られた積層体からなることができる。かかる構成は織物感触の漏出防止バリアー層を与える。液体ブロッキング裏打ち層２４は蒸気透過性材料からなることもできる。かかる呼吸可能な裏打ち層２４は例えばＳＭＳ材料（スパンボンド−メルトブロー−スパンボンド）として知られるもの又はポリエチレンからなる呼吸可能なプラスチックフィルムから作られることができる。かかるプラスチックフィルムはＥＰ  ２８３２００に記載されている。材料が吸収製品に適用されたときであっても呼吸性を保持するためには、製品の下側２０は取付の手段３４によって全体をカバーされないべきである。
【００２４】
表面層２２と吸収体３０の間に受入層３２を配置することができる。受入層３２の機能は液体を衛生ナプキン中に引き入れ、それを下の吸収体３０に輸送することである。受入層３２は低密度の不織材料から作ることができる。
【００２５】
取付の手段３４は衛生ナプキンの下側２０上に適用される。取付の手段は接着剤からなることが好ましいが、それは例えばタッチアンドクローズファスナー、スナップファスナー、摩擦被覆、クリップ手段などの機械的取付であることもできる。接着剤は一以上のストランド又は別のパターンで適用されることができる。あるいは、衛生ナプキン１の下表面２０の全体が接着剤で被覆される。呼吸可能な取付接着剤を使用し、それを製品の下側２０全体にわたって適用し、かくして組合わされたバリアー層及び取付の手段として作用させることもできる。
【００２６】
保護層３６は取付の手段３４に適用される。保護層３６はシリコーン処理された紙であることが好ましいが、保護層３６の他の変形例、例えば蝋紙、型押しされた又は剥離剤処理されたプラスチックフィルム、タッチアンドクローズファスナーに取付ける繊維ストリップなどももちろん可能である。図１に示された例では、保護層３６は長い側２，４及び短い側６，８の両方に沿って正弦波形状を有する。
【００２７】
図２は図１の衛生ナプキン１の線ＩＩ−ＩＩに沿った断面を示すが、受入層３２はない。
【００２８】
図３は表面層２２、裏打ち層２４及び中間吸収体３０からなる衛生ナプキン１を示す。衛生ナプキンはまた、取付フラップ又は羽根５４として知られるものを与えられる。取付フラップ５４は従来の方法で衛生ナプキンに固定され、それは例えばそれらが表面層２２及び裏打ち層２４の連続部を構成するようなものであってもよい。取付フラップ５４は衛生ナプキンの取付の手段３４に対応する方法でデザインされることができる、取付の手段５６を与えられる。羽根５４の取付の手段５６はまた、保護層５８によってカバーされる。取付の手段３４，５６は鋸歯形状を有する縁を持つ保護層によってカバーされる。
【００２９】
図４に示された例は取付の手段３４が接着剤からなる衛生ナプキン１を示す。接着剤は製品の下側２０全体にわたって適用される。この例では保護層３６は衛生ナプキンの周囲の外側に少なくとも部分的に延びる外部輪郭を有する。保護層３６は長い側２，４及び短い側６，８の両方上に正弦波形状を有する。
【００３０】
図４に示された例による代替例は取付の手段３４が三つの接着剤ストランド６２ａ，６２ｂ，６２ｃの形で適用され、それらが衛生ナプキン１の下側２０の縁まで到らないものである。この例は図５に示されている。
【００３１】
他の形状の取付の手段３４、例えば楕円、円又は矩形のものも可能である。これらの形状を一つの大きな領域の形で又は多数の小さな領域の形で適用することもできる。
【００３２】
図５の剥離紙は鋸歯形状を有する保護層３６の縁を別として、衛生ナプキン１と同じ長い側２，４及び短い側６，８上の範囲を有する。
【００３３】
図６に示された製品は砂時計形状の失禁パッド４０である。表面層２２及び裏打ち層２４は吸収体３０の周囲の外側の接合部６０で相互接続される。カバー層２２，２４は多数の異なる方法で相互接続される。接続方法の例は接着、熱結合、超音波溶接などである。
【００３４】
失禁パッド４０はバリアー４２を有し、それらは液体透過性表面層２２上に配置され、失禁パッド４０の縦方向に延びる。
【００３５】
バリアー４２は緊張状態でバリアー４２に接続された弾性要素４４を含む。緊張された弾性要素４４が緩められると、それらは弾性要素４４が接続されるバリアー４２とともに収縮する。バリアー４２は次いで表面層から離れて延びるように隆起した形状にもたらされる。弾性要素４４は例えば一以上の弾性糸、一以上の弾性バンド、弾性プラスチックフィルムのストリップ、弾性不織材料のストリップ、弾性フォーム材料などからなることができる。弾性要素４４は多数の異なる方法でバリアー４２に接続されることができる。接続方法の例は接着、溶接、縫製などである。他のタイプのバリアーももちろん可能である。
【００３６】
下側２０は失禁パッド４０の短い側６，８に沿って正弦波形状を有する保護層３６によってカバーされる取付の手段３４を有する。
【００３７】
本発明は上記例に制限されるものとしてみなされるべきではない。これらは本発明を説明することのみを意図する。本発明の範囲内で互いに異なる例からの特徴を組合わせることが可能である。
【図面の簡単な説明】
【００３８】
【図１】下から見た本発明による衛生ナプキンを示す。
【図２】図１の衛生ナプキンの線ＩＩ−ＩＩに沿った断面を示す。
【図３】下から見た本発明の別の例による衛生ナプキンを示す。
【図４】下から見た本発明の別の例による衛生ナプキンを示す。
【図５】下から見た本発明の別の例による衛生ナプキンを示す。
【図６】下から見た本発明の別の例による失禁パッドを示す。
【図１】
2005507744.tif 000003
【図２】
2005507744.tif 000004
【図３】
2005507744.tif 000005
【図４】
2005507744.tif 000006
【図５】
2005507744.tif 000007
【図６】
2005507744.tif 000008
【国際公開パンフレット】
2005507744.tif 000009
2005507744.tif 000010
2005507744.tif 000011
2005507744.tif 000012
2005507744.tif 000013
2005507744.tif 000014
2005507744.tif 000015
2005507744.tif 000016
2005507744.tif 000017
2005507744.tif 000018
2005507744.tif 000019
2005507744.tif 000020
2005507744.tif 000021
2005507744.tif 000022
2005507744.tif 000023
2005507744.tif 000024
2005507744.tif 000025
2005507744.tif 000026
2005507744.tif 000027
2005507744.tif 000028
【手続補正書】
【提出日】平成15年11月8日(2003.11.8)
【手続補正１】
【補正対象書類名】特許請求の範囲
【補正対象項目名】全文
【補正方法】変更
【補正の内容】
【特許請求の範囲】
【請求項１】
縦方向（５０）及び横方向（５２）を有する、衛生ナプキン、失禁パッド、パンティライナー又はそれらの類似物品の如き吸収製品であって、製品が装着者に面することを意図される表面層（２２）、装着者から離れて面することを意図される裏打ち層（２４）、及び表面層（２２）と裏打ち層（２４）の間に配置された吸収体（３０）を含み、さらに製品の適用のための取付の手段（３４）、及び取付の手段（３４）のための保護層（３６）を含むものにおいて、保護層（３６）が少なくともその外側周囲の一部に沿って波形状を有する縁を持つことを特徴とする吸収製品。
【請求項２】
波形状が正弦波形状を含むことを特徴とする請求項１に記載の吸収製品。
【請求項３】
波形状が鋸歯形状を含むことを特徴とする請求項１又は２に記載の吸収製品。
【請求項４】
波形状が矩形波形状を含むことを特徴とする請求項１，２又は３に記載の吸収製品。
【請求項５】
保護層（３６）の縁が製品の縦方向（５０）に延びることを特徴とする請求項１〜４のいずれかに記載の吸収製品。
【請求項６】
保護層（３６）の縁が製品の横方向（５２）に延びることを特徴とする請求項１〜５のいずれかに記載の吸収製品。
【請求項７】
保護層（３６）が製品の縦方向（５０）及び横方向（５２）の両方において波形状を有する縁を持つことを特徴とする請求項１〜６のいずれかに記載の吸収製品。
【請求項８】
保護層（３６）が蝋紙を含むことを特徴とする請求項１〜７のいずれかに記載の吸収製品。
【請求項９】
保護層（３６）がシリコーン処理紙を含むことを特徴とする請求項１〜８のいずれかに記載の吸収製品。
【請求項１０】
保護層（３６）が製品の周囲を越えて突出することを特徴とする請求項１〜９のいずれかに記載の吸収製品。
【請求項１１】
保護層（３６）の縁の全てが波形状であることを特徴とする請求項１〜１０のいずれかに記載の吸収製品。
【請求項１２】
取付の手段（５６）を与えられた取付フラップ（５４）、及び取付フラップ（５４）上の各取付の手段（５６）上に配置された保護層（５８）をさらに有する請求項１〜１１のいずれかに記載の吸収製品において、取付フラップ（５４）上の保護層（５８）が波形状を有する縁を持つことを特徴とする吸収製品。
【手続補正２】
【補正対象書類名】明細書
【補正対象項目名】０００８
【補正方法】変更
【補正の内容】
【０００８】
本発明によれば、冒頭で言及されたタイプの吸収製品が与えられ、その製品は主として保護層が少なくともその外側周囲の一部に沿って波形状を有する縁を持つことを特徴とする。




【国際調査報告】
2005507744.tif 000029
2005507744.tif 000030
2005507744.tif 000031